(57)【要約】  本発明は、間欠電源10、電気的貯蔵手段11、燃料電池12、および該燃料を生成するための電気化学ユニット13を備えるシステム1による装置2の電力供給方法において、制御モジュール30によるステップの実装を備え、そのステップが、ａ）装置2によって消費される電力および間欠電源10によって供給される電力に応じてシステム1の電力バランスを判定するステップと、ｂ）安全期間中に該電力バランスの安定性を表すデータを受信するステップと、ｃ）該電力バランスが第１の閾値よりも大きく且つ該データが該電力バランスのその後の減少の特徴でない場合に電気化学ユニット13を起動し、電力バランスが第１の閾値よりも小さい第２の閾値よりも小さく且つ該データが該電力バランスのその後の増加の特徴でない場合に燃料電池12を起動するように、燃料電池12および電気化学ユニット13を制御するステップとを備える、方法に関する。【選択図】  図２
2019518407.tif 000002
【特許請求の範囲】
【請求項１】
間欠電源（１０）、電気的貯蔵手段（１１）、燃料電池（１２）、および前記燃料を生成するための電気化学ユニット（１３）を備えるシステム（１）による装置（２）の電力供給方法において、
制御モジュール（３０）によるステップの実装を備え、そのステップが、
ａ）前記装置（２）によって消費される電力および前記間欠電源（１０）によって供給される電力に応じて前記システム（１）の電力バランスを判定するステップと、
ｂ）安全期間中に前記電力バランスの安定性を表すデータを受信するステップと、
ｃ）
・前記電力バランスが第１の閾値よりも大きく且つ前記データが前記電力バランスのその後の減少の特徴でない場合に前記電気化学ユニット（１３）を起動し、
・前記電力バランスが前記第１の閾値よりも小さい第２の閾値よりも小さく且つ前記データが前記電力バランスのその後の増加の特徴でない場合に前記燃料電池（１２）を起動する
ように、前記燃料電池（１２）および前記電気化学ユニット（１３）を制御するステップとを備える、
ことを特徴とする方法。
【請求項２】
ステップ（ｃ）が、前記電力バランスが前記第１の閾値よりも小さい第２の閾値よりも小さく且つ前記データが前記電力バランスのその後の増加の特徴である場合であっても、前記電気的貯蔵手段（１１）によって貯蔵されたエネルギーの量が前記安全期間中に前記装置（２）に供給するのに不十分である場合には、前記燃料電池（１２）を起動するように前記燃料電池（１２）を制御することを含む、請求項１に記載の方法。
【請求項３】
ステップ（ｃ）が、前記電力バランスが前記第２の閾値よりも大きく且つ前記データが前記電力バランスのその後の減少の特徴でない場合、前記燃料電池（１２）を動作停止するように前記燃料電池（１２）を制御することを含む、請求項１および２に記載の方法。
【請求項４】
ステップ（ｃ）が、前記電力バランスが前記第１の閾値よりも小さく且つ前記データが前記電力バランスのその後の増加の特徴でない場合、前記電気化学ユニット（１３）を動作停止するように前記電気化学ユニット（１３）を制御することを含む、請求項１から３のいずれか１項に記載の方法。
【請求項５】
ステップ（ｃ）が、前記電力バランスが前記第１の閾値よりも小さく且つ前記データが前記電力バランスのその後の増加の特徴でない場合であっても、前記電気的貯蔵手段（１１）によって貯蔵されたエネルギーの量が前記安全期間中に前記装置（２）および前記電気化学ユニット（１３）に供給するのに不十分である場合には、前記電気化学ユニット（１３）を動作停止するように前記電気化学ユニット（１３）を制御することを含む、請求項４に記載の方法。
【請求項６】
前記安全期間が、前記燃料電池または前記電気化学ユニット（１３）が損傷を受けるのを防止するために、前記燃料電池（１２）または前記電気化学ユニット（１３）の連続運転の最小推奨期間である、請求項１から５のいずれか１項に記載の方法。
【請求項７】
前記安全期間が、１分から１０分である、請求項１から６のいずれか１項に記載の方法。
【請求項８】
前記電気化学ユニット（１３）が少なくとも１つの電解槽から構成される、請求項１から７のいずれか１項に記載の方法。
【請求項９】
前記電気化学ユニット（１３）および前記燃料電池（１２）が単一の可逆装置である、請求項８に記載の方法。
【請求項１０】
前記燃料が二水素である、請求項１から９のいずれか１項に記載の方法。
【請求項１１】
前記電気的貯蔵手段（１１）が、少なくとも１つのバッテリおよび／または少なくとも１つのスーパーコンデンサおよび／または少なくとも１つのフライホイールから構成される、請求項１から１０のいずれか１項に記載の方法。
【請求項１２】
前記第１の電力バランス閾値が、前記電気化学ユニット（１３）の動作に必要な電力に略対応し、前記第２の電力バランス閾値が略ゼロである、請求項１から１１のいずれか１項に記載の方法。
【請求項１３】
間欠電源（１０）、電気的貯蔵手段（１１）、燃料電池（１２）、前記燃料を生成するための電気化学ユニット（１３）および制御モジュール（３０）を備え、
−前記システム（１）によって供給される装置（２）によって消費される電力および前記間欠電源（１０）によって供給される電力に応じて前記システム（１）の電力バランスを判定するモジュールと、
−安全期間中に前記電力バランスの安定性を表すデータを受信するモジュールと、
−前記電力バランスが第１の閾値よりも大きく且つ前記データが前記電力バランスのその後の減少の特徴でない場合、前記電気化学ユニット（１３）を起動するモジュールと、
−前記電力バランスが前記第１の閾値よりも小さい第２の閾値よりも小さく且つ前記データが前記電力バランスのその後の増加の特徴でない場合、前記燃料電池（１２）を起動するモジュールと、
を実装するように構成されているシステム（１）。
【発明の詳細な説明】
【技術分野】
【０００１】
本発明は、少なくとも１つの間欠電源と、化学燃料を生成するための少なくとも１つの電気化学ユニットと、少なくとも１つの燃料電池と、電気的貯蔵手段とを組み合わせた、いわゆる自律ハイブリッドステーションの分野に関する。
【０００２】
より正確には、本発明は、そのような自律ステーションを制御する方法に関する。
【背景技術】
【０００３】
再生可能エネルギーの強力な発展の中で、電気設備の柔軟性の必要性が高まっている。
【０００４】
基本的に風力および太陽光で表されるこれらの再生可能エネルギーは、原子力発電所とは異なり、実際には一定で定期的な生産を可能にせず、これは、関連する生産の変動性及び予測可能性の問題を生じさせる。これは、非常に短期間のリスクの急激な増加をもたらす。
【０００５】
この理由のために、再生可能エネルギー源をバッテリなどの電気的貯蔵手段、および適切な場合には発電機などの補助電源と結合して、それらが意図されている使用のためにバッテリも再生可能電源も十分に電流を供給できない瞬間を補償することが知られている。
【０００６】
これらのシステムは、自律ステーションを形成し、時には例えば遠隔地に確実に動力を供給できるように配備することができる容易な輸送（例えば、車輪に取り付けられる）に適していることがある。
【０００７】
特に、発電源として燃料電池を使用し、前記電池に燃料を生成する電気化学ユニットをステーションに追加することが提案されている。そのようなステーションは、自律ハイブリッドステーションと呼ばれる。
【０００８】
燃料電池は、還元剤燃料（二水素など）の酸化が（空気中の二酸素などの）酸化剤の他方の電極の還元と結合した一方の電極上で行われる発電機である。
【０００９】
それゆえに、燃料電池（図１にその例が示されている）の動作は、以下の酸化還元反応によって二水素の場合に支配される。
【００１０】
−アノードにおいて：２Ｈ２→４Ｈ＋＋４ｅ−
−カソードにおいて：Ｏ２＋４Ｈ＋＋４ｅ−→２Ｈ２Ｏ
【００１１】
したがって、アノードで生成された電子の流れは、カソードに再送される前に電荷を供給することができる。
【００１２】
燃料を生成する関連する化学ユニットは、典型的には、電流の影響下で酸化還元反応を「強制」する電解槽である。電気分解の原理は、次の式によって要約されることができる：２Ｈ２Ｏ＋電気→２Ｈ２＋Ｏ２。必要に応じて、電流を消費または生成する（したがって、それぞれ二水素を生成または消費する）ことができる他の「可逆的」燃料電池が存在することに留意されたい。
【００１３】
したがって、二水素（または他の化学燃料）は、電気エネルギーの化学的貯蔵手段として使用されることができる。これは、間欠電源およびバッテリの電力要件およびレベルにステーションの電気的生産を適合させるために生成または消費される。
【００１４】
仏国特許第２９７２８６７号明細書は、この点に関して、要求時にバッテリの使用に対する優先権をともなってバッテリが充電された場合にのみ水素が生成されるそのような自律ステーション内のエネルギーを管理する方法を提案しており、燃料電池は、バッテリが深放電閾値に到達する場合にのみ使用される。換言すれば、バッテリは、その利用可能な電力が高閾値と低閾値との間にあるときに使用され、電解槽または燃料電池は、バッテリがそれぞれ高閾値を超えているかまたは低閾値を下回っている場合にのみ使用される。
【先行技術文献】
【特許文献】
【００１５】
【特許文献１】仏国特許第２９７２８６７号明細書
【発明の開示】
【発明が解決しようとする課題】
【００１６】
上記解決法は、満足のいくものであり、システム全体の効率を最適化する。
【００１７】
しかしながら、燃料電池または電解槽の早期老化を引き起こす可能性が高いことが認識されている。実際に、これらの装置（および一般に電気化学素子）は、低速動作サイクルに適しており、スイッチオンとスイッチオフとの間の時間があまりにも短い場合にはそれらを損傷する「サージ」を受け、逆もまた同様である。
【００１８】
その結果、等しく最適化されているが、また、電気化学素子を処理してそれらの寿命を延ばす管理方法を有することが望ましい。
【課題を解決するための手段】
【００１９】
第１の態様によれば、本発明は、間欠電源、電気的貯蔵手段、燃料電池および前記燃料を生成するための電気化学ユニットを備えるシステムによる装置の電気供給方法において、
制御モジュールによるステップの実装を備え、そのステップが、
ａ）装置によって消費される電力および間欠電源によって供給される電力に応じてシステムの電力バランスを判定するステップと、
ｂ）安全期間中に前記電力バランスの安定性を表すデータを受信するステップと、
ｃ）
・前記電力バランスが第１の閾値よりも大きく且つ前記データが前記電力バランスのその後の減少の特徴でない場合に前記電気化学ユニットを起動し、
・前記電力バランスが前記第１の閾値よりも小さい第２の閾値よりも小さく且つ前記データが前記電力バランスのその後の増加の特徴でない場合に前記燃料電池を起動する
ように、燃料電池および電気化学ユニットを制御するステップとを備える、ことを特徴とする方法により、これらの欠点を克服することを提案する。
【００２０】
本発明にかかる装置は、有利には、単独でまたは技術的に可能な組み合わせのいずれか１つで、以下の特徴によって完成される：
・前記ステップ（ｃ）は、前記電気的貯蔵手段によって蓄えられたエネルギーの量が前記安全期間中に前記装置に供給するのに不十分である場合、前記電力バランスが第１の閾値よりも小さい第２の閾値よりも小さい場合であっても燃料電池を起動し且つ前記データが前記電力バランスのその後の増加の特徴であるように燃料電池を制御することを含み、
・前記ステップ（ｃ）は、前記電力バランスが第２の閾値よりも大きく且つ前記データが前記電力バランスのその後の減少の特徴でない場合、燃料電池を停止させるように燃料電池を制御することを含み、
・前記ステップ（ｃ）は、前記電力バランスが第１の閾値よりも小さく且つ前記データが前記電力バランスのその後の増加の特徴でない場合、電気化学ユニットを停止させるように電気化学ユニットを制御することを含み、
・前記ステップ（ｃ）は、前記電気的貯蔵手段によって貯蔵されたエネルギーの量が前記安全期間中に装置および電気化学ユニットに供給するのに不十分である場合、前記電力バランスが第１の閾値よりも小さく且つ前記データが前記電力バランスのその後の増加の特徴でない場合、電気化学ユニットを停止させるように電気化学ユニットを制御することを含み、
・前記安全期間は、燃料電池または電気化学ユニットが損傷を受けるのを防止するために、燃料電池または電気化学ユニットの連続運転の最小推奨期間であり、
・前記安全期間は、１分から１０分の間であり、
・電気化学ユニットは、少なくとも１つの電解槽から構成されており、
・電気化学ユニットおよび燃料電池は、単一の可逆装置であり、
・前記燃料は、二水素であり、
・電気的貯蔵手段は、少なくとも１つのバッテリおよび／または少なくとも１つのスーパーコンデンサおよび／または少なくとも１つのフライホイールから構成されており、
・第１の電力バランス閾値は、電気化学ユニットの動作に必要な電力に略対応し、第２の電力バランス閾値は、略ゼロである。
【００２１】
第２の態様によれば、本発明は、間欠電源、電気的貯蔵手段、燃料電池、前記燃料を生成するための電気化学ユニットおよび制御モジュールを備え、
−システムによって供給される装置によって消費される電力および間欠電源によって供給される電力に応じてシステムの電力バランスを判定するモジュールと、
−安全期間中に前記電力バランスの安定性を表すデータを受信するモジュールと、
−前記電力バランスが第１の閾値よりも大きく且つ前記データが前記電力バランスのその後の減少の特徴でない場合、電気化学ユニットを起動するモジュールと、
−前記電力バランスが第１の閾値よりも小さい第２の閾値よりも小さく且つ前記データが前記電力バランスのその後の増加の特徴でない場合、燃料電池を起動するモジュールと、
を実装するように構成されているシステムに関する。
【００２２】
本発明のさらなる特徴、目的および利点は、単に非限定的例示によって与えられ且つ添付の図面と併せて読む必要がある以下の説明から明らかになるであろう。
【図面の簡単な説明】
【００２３】
【図１】先に説明した図１は、既知の水素燃料電池の図である。
【図２】図２は、本発明にかかる装置を供給する方法を実装するシステムを表している。
【発明を実施するための形態】
【００２４】
一般的なアーキテクチャ
図２は、装置２に供給する本方法を実装するためのシステム１の好ましい実施形態を表している。
【００２５】
装置２は、電気を消費する装置の任意の装置またはアセンブリとすることができる。任意の時間において、装置２は、可変とすることができ、所定時間ではゼロとすることができる消費電力ＰＣ（ｔ）を消費する。
【００２６】
システム１は、上述した自律ステーションであり、２つの主要なアセンブリ、すなわち、「電気」アセンブリおよび「化学」アセンブリから構成されている。
【００２７】
電気アセンブリは、間欠電源１０および電気的貯蔵手段１１、ならびに任意の追加の電気部品（変圧器、電気保護システムなど）を備える。
【００２８】
間欠電源１０は、有利には、１つ以上の再生可能エネルギー源によって供給される。すなわち、電源は、有利には、再生可能エネルギーによって供給される１つ以上の発電機から構成される。好ましくは、間欠電源１０は、それゆえに、１つ以上の光起電力パネルおよび／または１つ以上の風力タービンを備える。
【００２９】
「間欠」とは、電源１０がしたがって制御されることができない外部の物理的現象（太陽、風、温度など）に応じて変動電力ＰＦ（ｔ）を供給することを意味する。換言すれば、電源１０は、燃料を消費せず、（化学燃料を消費する）後に説明する燃料電池１２のタイプの装置は、本発明の文脈においては間欠電源１０ではないことが明確に理解されるであろう。
【００３０】
電気的貯蔵手段１１は、一般に、システム１と装置２との間の「バッファ」として機能する。より正確には、それらは、間欠電源１０の電力の変動を滑らかにするように電気を貯蔵して放出する。それらは、システム１の他の構成要素１０、１２、１３のそれぞれに電気的に接続されている。電気的貯蔵手段１１は、有利には、少なくとも１つのバッテリおよび／または少なくとも１つのスーパーコンデンサおよび／または少なくとも１つのフライホイールから構成される。
【００３１】
他方では、化学アセンブリは、少なくとも１つの燃料電池１２と、前記燃料１３を生成するための少なくとも１つの電気化学ユニットとを備える。これらの２つは、それぞれ、化学燃料を消費することによって電気を生成可能であり、電気を消費することによって前記化学燃料を生成可能である。各燃料電池１２および各電気化学ユニット１３は、化学反応を行ういくつかの電池を備えることができる。
【００３２】
好ましくは（そして、この例は本明細書の後半で使用される）、前記化学燃料は、気体二水素であるが、当業者は、メタノール、蟻酸または水素化ホウ素など、適合する燃料電池が存在する他の燃料を使用する方法を知っている。
【００３３】
説明したように、燃料電池１２は、一方の電極では前記化学燃料が酸化されるとともに、他方の電極では酸化性燃料、特に大気中の二酸化炭素が還元される発電機である。説明したように、二水素の場合、反応の生成物は水である。
【００３４】
燃料電池は、燃焼を行わないので、非常に高いレベルの性能を達成することができる。多くの燃料電池技術、特に水素電池技術が存在し、当業者は、例えば、プロトン交換膜（ＰＥＭ）燃料電池、または固体酸化物電池を使用することができる。
【００３５】
前記燃料１３を生成する電気化学ユニットは、燃料電池１２とは反対の役割を果たす構成要素である：すなわち、それは電気を消費して前記化学燃料を生成する。化学燃料が二水素である場合、ユニット１３は、水からそれを生成し、これは、通常は電気分解によって、換言すれば電位差によって化学反応を行うことによって、自然に大量に見出すことができる。
【００３６】
本明細書の後半では、電解槽タイプのユニット１３の例が採用されるが、当業者は、他の方法で、例えば熱分解によって化学燃料を生成する方法を知っている。
【００３７】
少なくとも１つの電解槽の場合、異なる技術、特にプロトン交換膜技術が関与し得る。そのような技術は、有利には、電気化学ユニット１３および燃料電池１２が単一の可逆装置であるのを可能にする。換言すれば、この可逆装置は、電流が供給されると二水素を生成し、二水素が供給されると電流を生成する。これは、システム１の構造を大幅に単純化し、そのサイズを大幅に制限する。
【００３８】
あるいは、例えば、高温の電解槽が使用可能であり（約８００℃の温度で水蒸気の電気分解を行うのに適している）、さらに良好な性能を与える。
【００３９】
好ましくは、「化学」アセンブリはまた、「補助装置」、すなわち、二水素を貯蔵する手段１４（高圧ボトル）と、必要に応じて圧縮機と、（二水素をユニット１３から電池１２および／または貯蔵手段１４に移送するための）二水素回路１５とを備える。生成および消費の単一の装置の場合、回路１５は、この装置１２、１３およびボトル１５を接続し、二水素は前後に移動する。
【００４０】
明らかに、システム１のサイズに応じて、必要に応じて複数の電池ユニットを有する場合、複数のユニット１３および／または複数の電池１２が存在し得る。本明細書は、１つのユニット１３および１つの電池１２の例を取り上げるが、当業者は、これらの要素のいくつかに本方法を適用する方法を知るであろう。
【００４１】
システム１はまた、システム１の各要素を制御する制御モジュール３０を備える。より正確には、モジュール３０は、各要素の起動／動作停止および電気の伝送を制御することによって、装置２の電力供給を管理する。例えば、モジュール３０は、貯蔵手段１１が充電または放電されているかどうかをチェックする。
【００４２】
この理由から、モジュール３０は、ここで記載される方法で本方法を実施するように、これらの要素のパラメータ（電源１０によって供給される電力、装置２によって消費される電力、貯蔵手段１１の充電レベル、利用可能な気体二水素の量など）をいつでも知ることができる。
【００４３】
制御モジュール３０は、以下に示すように、典型的には電子カードまたはプロセッサであり、有利には通信ネットワーク３に接続されている。
【００４４】
方法
本方法は、ＰＣ（ｔ）として示される装置２によって消費された電力およびＰＦ（ｔ）として示される間欠電源１０によって供給される電力に応じて、ΔＰ（ｔ）として示されるシステム１の電力バランスを判定するステップ（ａ）によって開始する。
【００４５】
これらの大きさは、典型的には、関係ΔＰ（ｔ）＝ＰＦ（ｔ）−ＰＣ（ｔ）によってリンクされる。電力バランスΔＰ（ｔ）は、特に供給される電力が弱い場合（例えば、間欠電源１０が光電池パネルである場合に雲が通過する場合）、完全に負であり得ることに留意されたい。この場合、これは、システム１が、貯蔵手段１１を放電することによっておよび／または燃料電池１２を動作させることによって、装置２の動作に欠落した電力をもたらすことを意味する。
【００４６】
ステップ（ｂ）において、本方法は、制御モジュール３０が安全期間ｔＳＥＣの間の前記電力バランスΔＰ（ｔ）の安定性を表すデータを受信することを含む。これらのデータに応じて、モジュール３０は、後述するように、その完全性を保つように最適な方法でシステム１の構成要素を管理する。
【００４７】
換言すれば、制御モジュール３０は、前記電力バランスの安定性を表すデータを前処理するためのモジュールとして機能する。
【００４８】
実際に、先行技術がシステム１を制御するために電池の充電レベルにフォーカスし、結果として燃料電池１２およびユニット１３である電気化学素子を無視した場合、本方法は、主に基準の大きさとして電力バランスの変動を使用する。これから分かるように、これは、これらの電気化学素子の寿命を向上させながら、エネルギーの等しく最適な管理を可能にする。
【００４９】
前記電力バランスΔＰ（ｔ）の安定性を表すデータは、装置２によって消費される電力ＰＣ（ｔ）および／または間欠電源１０によって供給される電力ＰＦ（ｔ）に関する暫定データを意味する。
【００５０】
例えば、前記データが供給された電力ＰＦ（ｔ）のその後の減少を表す場合、制御モジュール３０は、電力バランスΔＰ（ｔ）が安定しておらず且つ減少すると判定することができる。
【００５１】
したがって、安全期間ｔＳＥＣの間の前記電力バランスは、有利には、以下のように判定される：
−安定的である（すなわち、略一定であり、ΔＰ（ｔ０）≒ΔＰ（ｔ０＋ｔＳＥＣ）を意味する）、
−下向きに不安定である（すなわち、ΔＰ（ｔ０）＞ΔＰ（ｔ０＋ｔＳＥＣ））、または
−上向きに不安定である（すなわち、ΔＰ（ｔ０）＜ΔＰ（ｔ０＋ｔＳＥＣ））。
【００５２】
電力バランスの「将来の」値（すなわち、安全期間の終わり）が推定されてもよいが、安定性の評価のみが必要であるため、これは必須ではない。
【００５３】
前記安全期間ｔＳＥＣは、有利には、その損傷を回避するために、燃料電池１２または電気化学ユニット１３の連続運転の最小推奨期間に対応し、それが「安全」と呼ばれる理由である。  より正確には、これが早期経年劣化を引き起こす危険性があるため、燃料電池１２または電気化学ユニット１３の状態（起動／動作停止）を変更することが同様に望ましくない満了前の期間である。
【００５４】
これらの電気化学素子の既存の技術に関して、前記安全期間は、典型的には１から１０分である。
【００５５】
前記電力バランスの安定性を表すこれらのデータは、概して説明したように、電源１０の生成および／または装置２の消費に影響を及ぼすことができる全ての情報を含む。
【００５６】
これらのデータは、例えば再生可能エネルギーの生成手段がどの程度生産的であるかを示すことができる気象的起源のような局所的に得られる一般的なデータとすることができるが、好ましくは、それらは、通信ネットワーク３（典型的にはインターネット）によって、具体的にはボックス３１を介して、特にリアルタイムで供給されるより複雑なデータを包含する。
【００５７】
消費に関しては、予測データは、モデルによって推定されたデータ、または単に前日からのデータ、または可能であればさらに装置２の動作計画とすることができる。
【００５８】
１つの実施形態では、ボックス３１は、インターネットアクセスプロバイダ（例えば、自律運用のための４Ｇモデム）によって提供され、Ｗｉ−Ｆｉ、イーサネット（登録商標）またはＵＳＢ接続などのネットワーク接続手段によって制御モジュール３０に接続されたインターネットアクセスを有する装置である。データは、単にシステム１を動作させ電力供給業者のサーバ上の前処理されたデータであってもよい。
【００５９】
本発明は、前記電力バランスの安定性を表す特定のタイプのデータに限定されるものではなく、また、これらのデータを提供する特定の方法に限定されるものでもない。
【００６０】
制御
ステップ（ｃ）において、モジュール３０は、装置２に最適に供給するように、電力バランスおよびその推定された安定性に応じて、燃料電池１２および電気化学ユニット１３（およびシステム１の他の要素）を制御する。
【００６１】
特に、電気化学ユニット１３は、前記電力バランスが第１の閾値よりも大きく且つ前記データが前記電力バランスのその後の減少の特徴でない場合に（そして、有利には、その場合にのみ）起動される。
【００６２】
第１の閾値は、ＰＨ２として示される電気化学ユニット１３の動作に必要な電力（すなわち、電気化学ユニット１３の電力ならびにその補助装置の電力）に有利に実質的に対応する。
【００６３】
換言すれば、ΔＰ＞ＰＨ２、すなわち、ＰＦ＞ＰＣ＋ＰＨ２である場合、換言すれば、電源１０が同時に持続可能な方法で装置２および電気化学ユニット１３の双方に電力を供給するのに十分な電力を供給する場合にのみ、水素の生成が指示される。
【００６４】
より正確には、たとえ電力が十分であっても、暫定データが安全期間よりも長く持続しないことを示す場合、電気化学ユニット１３は起動されない。これは、数分後に動作停止することおよびその起動後（安全期間の終了前）の短すぎる時間のこのスイッチオフに関連するダメージを回避する。
【００６５】
不安定性による非起動の場合、（装置２によって使用されない）余剰電力は、可能であれば、貯蔵手段１１を充電するために使用される（最悪の場合、シナリオが失われるが、これは数分よりも長く継続することができないため、それは無視される）。
【００６６】
燃料電池１２に関して、それは、前記電力バランスが第１の閾値よりも小さい第２の閾値よりも小さく且つ前記データが前記電力バランスのその後の増加の特徴でない場合（有利には、後述する可能な単一の例外をともなって、その場合にのみ）に起動される。
【００６７】
第２の閾値は、有利には略ゼロである。換言すれば、０≧ΔＰ、すなわちＰＦ≦ＰＣの場合にのみ、または、換言すれば、電源１０が少なくとも装置２に供給するのに十分な電力を供給しないが持続可能な方法である場合、水素の消費が指令される。
【００６８】
より正確には、電力が不十分であっても、暫定データが安全期間よりも長く持続しないことを示す場合（これは、電源１０が少なくとも装置２に数分間供給するのに十分な電力を供給することを意味し、したがって、水素の消費がもはや必要ではないことを意味する）、燃料電池１２は起動されない。これは、数分後に動作停止することおよびその起動後（安全期間の終了前）の短すぎる時間のこのスイッチオフに関連するダメージを回避する。
【００６９】
この時間経過の間、装置２は、電力ＰＣ−ＰＦの残りの部分を回収するために貯蔵手段１１を放電する。この状況は数分を超えて継続してはならないため、バッテリの充電は、通常は十分である。
【００７０】
前記電力バランスが第１の閾値よりも小さい第２の閾値よりも小さく且つ前記データが前記電力バランスのその後の増加の特徴である場合であっても、貯蔵手段１１によって貯蔵されたエネルギーの量が前記安全期間中に装置２に供給するのに不十分である場合には、燃料電池１２の緊急起動がなおも想定され得ることに留意すべきである。
【００７１】
これは、装置２の供給が突然中断され、装置２が重要である場合（電気通信装置、軍事装置など）、サービス品質の問題および潜在的に深刻な結果を招くという問題のある状況を回避する。
【００７２】
より正確には、Ｑがバッテリの電荷であり且つシステム１（さらに必要な場合には装置２）が電圧Ｕで動作する場合、Ｑ＊Ｕ＜（ＰＣ−ＰＦ）＊ｔＳＥＣであれば緊急起動が行われる。
【００７３】
電力バランスが２つの閾値の間の中間領域にある場合（換言すれば、電源１０が装置２に供給するのに十分な電力を供給するが、装置２および電気化学ユニット１３に同時に供給しない場合）、すなわち、ＰＨ２＞ΔＰ＞０、すなわち、ＰＣ＋ＰＨ２＞ＰＦ＞ＰＣである場合、電気化学素子１２および１３を同様に保護しながらシステム１の性能を同様に最適化するように、所定の決定が有利には制御モジュール３０によって行われる。
【００７４】
換言すれば、第２の閾値に関して、燃料電池１２は、前記電力バランスが第２の閾値よりも大きく且つ前記データが前記電力バランスのその後の減少の特徴でない場合（有利には、場合にのみ）−換言すれば、電源１０が少なくとも装置２に供給するのに十分な電力を持続可能な方法で供給する場合には、好ましくは（先に起動状態の場合）動作停止される。
【００７５】
より正確には、理論上、二水素の消費をもはや必要としないように現時点では十分な電力が供給されるが、暫定データが安全期間より長く持続しないことを示す場合（電源１０によって供給される電力が同様に少なくとも装置２に数分間供給するには不十分であり、したがって水素の消費が同様に必要となることを意味する）、燃料電池１２は動作停止されない、すなわち、起動されたままである。これは、数分後に再起動することおよびその動作停止後（安全期間の終了前）の短すぎる時間のそのようなスイッチオンに関連するダメージを回避する。
【００７６】
同様に、第１の閾値に関して、電気化学ユニット１３は、前記電力バランスが第１の閾値よりも小さく且つ前記データが前記電力バランスのその後の増加の特徴でない場合（有利には、後述する可能な単一の例外をともなって、その場合にのみ）−換言すれば、電源１０が装置２および電気化学ユニット１３の双方に同時に持続可能な方法で供給するのに十分な電力を供給しない場合には、好ましくは（先に起動状態の場合）動作停止される。
【００７７】
より正確には、総電力が二水素を生成し続けるには不十分であっても、暫定データが安全期間よりも長く持続しないことを示す場合（これは、電源１０が装置２および電気化学ユニット１３に同時に数分間供給するのに十分な電力を供給し、したがって水素の生成が再び可能になることを意味する）、電気化学ユニット１３は動作停止されない、すなわち、起動されたままである。これは、数分後に再起動することおよびその動作停止後（安全期間の終了前）の短すぎる時間のこのスイッチオンに関連するダメージを回避する。
【００７８】
この時間経過の間、装置２は、間欠電源１０のエネルギーを使用するとともに、電気化学ユニット１３は、電力ＰＣ＋ＰＨ２−ＰＦの残りの部分を回収するために貯蔵手段１１を放電する。この状況は数分を超えて継続してはならないため、バッテリの充電は、通常は十分である。
【００７９】
前記電力バランスが第１の閾値よりも小さく且つ前記データが前記電力バランスのその後の増加の特徴である場合であっても、電気的貯蔵手段１１によって貯蔵されたエネルギーの量が前記安全期間中に電気化学ユニット１３に供給するのに不十分である場合には、電気化学ユニット１３の緊急動作停止がなおも想定され得ることに留意すべきである。
【００８０】
これは、電気化学ユニット１３の供給が突然中断され、動作停止および密接に起こる動作停止に起因する早期経年劣化よりも著しいダメージを引き起こすという問題のある状況を回避する。
【００８１】
より正確には、Ｑがバッテリの電荷であり且つシステム１（さらに必要な場合には装置２）が電圧Ｕで動作する場合、Ｑ＊Ｕ＜（ＰＣ＋ＰＨ２−ＰＦ）＊ｔＳＥＣであれば緊急起動が行われる。
【００８２】
そのような場合、電力バランスΔＰが第１の閾値を超えて増加すると、その後の電気化学ユニット１３の再起動が遅れる可能性があることが想定され得ることに留意されたい。
【００８３】
方法
第２の態様によれば、本発明は、本発明の第１の態様にかかる方法を実装するシステム１に関する。
【００８４】
このシステム１は、間欠電源１０、電気的貯蔵手段１１、燃料電池１２、前記燃料１３を生成するための電気化学ユニット、および制御モジュール３０（さらに必要に応じて電気的または化学的補助装置）を備える。
【００８５】
制御モジュール３０は、
−システム１によって供給される装置２によって消費される電力および間欠電源１０によって供給される電力に応じてシステム１の電力バランスを判定するモジュールと、
−安全期間中に前記電力バランスの安定性を表すデータを受信するモジュールと、
−前記電力バランスが第１の閾値よりも大きく且つ前記データが前記電力バランスのその後の減少の特徴でない場合、電気化学ユニット１３を起動するモジュールと、
−前記電力バランスが第１の閾値よりも小さい第２の閾値よりも小さく且つ前記データが前記電力バランスのその後の増加の特徴でない場合（有利には、前記電気的貯蔵手段１１によって貯蔵されたエネルギーの量が前記安全期間中に装置２に供給するのに不十分である場合、前記電力バランスが第１の閾値よりも小さい第２の閾値よりも小さく且つ前記データが前記電力バランスのその後の増加の特徴でない場合にのみ）、燃料電池１２を起動するモジュールと、
を実装するように構成されている。
【００８６】
有利には、制御モジュール３０はまた、
−前記電力バランスが第２の閾値よりも大きく且つ前記データが前記電力バランスのその後の減少の特徴でない場合、燃料電池１２を動作停止するモジュールと、
−前記電力バランスが前記第１の閾値よりも小さく且つ前記データが前記電力バランスのその後の増加の特徴でない場合（有利には、電気的貯蔵手段１１によって貯蔵されたエネルギーの量が前記安全期間中に装置２および電気化学ユニット１３に供給するのに不十分である場合、前記電力バランスが第１の閾値よりも小さく且つ前記データが前記電力バランスのその後の増加の特徴でない場合であっても）電気化学ユニット１３を動作停止するモジュールと、
を実装する。
【図１】
2019518407.tif 000003
【図２】
2019518407.tif 000004
【国際調査報告】
2019518407.tif 000005
2019518407.tif 000006
2019518407.tif 000007
2019518407.tif 000008
2019518407.tif 000009
2019518407.tif 000010